(57)【要約】【課題】早期にガス流量又は圧力を検出することにより、ガス遮断機能の安全性がより向上したガスメータを提供する。【解決手段】ガス流量検出手段１５ａが、ガス流路１１内に再充填させる際に流れるガスの流量を超音波センサであるガス流量計測器１２を通じて瞬時に検出する。そして、判定手段１５ｄが、ガス流量検出手段１５ａにより検出されたガスの流量特性が記憶手段１５ｅに予め記憶されているガスの流量特性と一致するか否かを判断する。この判定手段１５ｄが、実際に検出されたガスの流量が予め記憶されていた流量特性に一致しないとガスの漏洩が発生していると判定し、弁開閉手段１５ｃを通じて直ちに遮断弁１４を遮断する。【選択図】図１
2008111672.tif 000002
【特許請求の範囲】
【請求項１】
ガス流路に設置した遮断弁の開閉を制御する弁開閉手段と、遮断弁の下流に設けられたガス流路内の圧力を検出する圧力検出手段と、ガスの漏洩を判定する判定手段とを備え、前記圧力検出手段によりガス流路内の圧力が検出されない場合に、前記弁開閉手段により遮断弁を開弁することでガスの充填を行い、その後遮断弁を閉じて、前記判定手段により圧力の減少から微小なガスの漏洩を判定するガスメータにおいて、
前記ガス流路内の流量を検出するガス流量検出手段を備え、
このガス流量検出手段が、前記弁開閉手段により遮断弁を開弁することでガスを充填する際に、ガス流路内の流量を検出し、
前記判定手段は、前記ガス流量検出手段により検出されたガスの流量特性と予め定められた流量特性とを対比し両者が一致しない場合にガスの漏洩と判定し、
前記弁開閉手段は、前記判定に基づいて遮断弁を閉じることを特徴とするガスメータ。
【請求項２】
ガス流路に設置した遮断弁の開閉を制御する弁開閉手段と、遮断弁の下流に設けられたガス流路内の圧力を検出する圧力検出手段と、ガスの漏洩を判定する判定手段とを備え、前記圧力検出手段によりガス流路内の圧力が検出されない場合に、前記弁開閉手段により遮断弁を開弁することでガスの充填を行い、その後遮断弁を閉じて、前記判定手段により圧力の減少から微小なガスの漏洩を判定するガスメータにおいて、
前記圧力検出手段が、前記弁開閉手段により遮断弁を開弁することでガスを充填する際に、ガス流路内の圧力を検出し、
前記判定手段は、前記圧力検出手段により検出されたガスの圧力特性と予め定められた圧力特性とを対比し両者が一致しない場合にガスの漏洩と判定し、
前記弁開閉手段は、前記判定に基づいて遮断弁を閉じることを特徴とするガスメータ。
【請求項３】
ガス流路に設置した遮断弁の開閉を制御する弁開閉手段と、遮断弁の下流に設けられたガス流路内の圧力を検出する圧力検出手段と、ガスの漏洩を判定する判定手段とを備え、前記圧力検出手段によりガス流路内の圧力が検出されない場合に、前記弁開閉手段により遮断弁を開弁することでガスの充填を行い、その後遮断弁を閉じて、前記判定手段により圧力の減少から微小なガスの漏洩を判定するガスメータにおいて、
前記ガス流路内の流量を検出するガス流量検出手段を備え、
前記ガス流量検出手段が、前記弁開閉手段により遮断弁を開弁することでガスを充填する際に、ガス流路内の流量を検出し、
前記圧力検出手段が、前記弁開閉手段により遮断弁を開弁することでガスを充填する際に、ガス流路内の圧力を検出し、
前記判定手段は、前記ガス流量検出手段により検出されたガスの流量特性と予め定められた流量特性とを対比し、かつ、前記圧力検出手段により検出されたガスの圧力特性と予め定められた圧力特性とを対比し、両対比のうち少なくとも一方が一致しない場合にガスの漏洩と判定し、
前記弁開閉手段は、前記判定に基づいて遮断弁を閉じることを特徴とするガスメータ。
【請求項４】
前記弁開閉手段は、遮断弁を開弁することでガスの充填を行うに当り、遮断弁の開弁量を制限して流入ガスの流量を調整することを特徴とする請求項１〜３のいずれか１項に記載のガスメータ。
【請求項５】
予め定められた前記ガスの流量特性は、前記弁開閉手段が遮断弁を開弁することでガスを充填する際に、ガスの漏洩がない場合における前記ガス流路内のガスの流量値及び流量の経時的変化であることを特徴とする請求項１〜３のいずれか１項に記載のガスメータ。
【請求項６】
予め定められた前記ガスの圧力特性は、ガスを充填する際に、ガスの漏洩がない場合における前記ガス流路内のガスの圧力値及び圧力の経時的変化であることを特徴とする請求項１〜３のいずれか１項に記載のガスメータ。
【請求項７】
ガス流路内を流れるガスの圧力データと、圧力データの変化と、ガスの漏洩要因情報と、ガスの漏洩の判定に要する時間である判定時間データの少なくとも１つを含むガスに関する情報を表示する表示部を備えたことを特徴とする請求項１〜４のいずれか１項に記載のガスメータ。
【請求項８】
前記表示部が、前記弁開閉手段により遮断弁を開弁することでガスを充填する際に、前記圧力検出手段により検出したガスの前記圧力データを表示することを特徴とする請求項７に記載のガスメータ。
【請求項９】
前記表示部が、前記弁開閉手段により遮断弁を開弁することでガスを充填する際に、前記圧力検出手段により検出したガスの前記圧力データの変化を文字又は図形情報として表示することを特徴とする請求項７又は８に記載のガスメータ。
【請求項１０】
前記判定手段が、前記ガス流量検出手段により検出されたガスの流量特性と予め定められた流量特性とを対比し両者が一致しないと判断する場合、あるいは前記圧力検出手段により検出されたガスの圧力特性と予め定められた圧力特性とを対比し両者が一致しないと判断する場合において、
前記表示部が、前記判定手段により一致しないと判断したガスの流量又は圧力特性をガスの前記漏洩要因情報として表示することを特徴とする請求項７〜９のいずれか１項に記載のガスメータ。
【請求項１１】
前記表示部が、前記判定手段によるガスの漏洩の判定に要する時間である前記判定時間の残量を表示することを特徴とする請求項７〜１０のいずれか１項に記載のガスメータ。
【請求項１２】
ガス流路に設置した遮断弁の開閉を制御する弁開閉ステップと、遮断弁の下流に設けられたガス流路内の圧力を検出する圧力検出ステップと、ガスの漏洩を判定する判定ステップとを備え、前記圧力検出ステップによりガス流路内の圧力が検出されない場合に、前記弁開閉ステップにより遮断弁を開弁することでガスの充填を行い、その後遮断弁を閉じて、前記判定ステップにより圧力の減少から微小なガスの漏洩を判定するガスメータの制御方法において、
前記ガス流路内の流量を検出するガス流量検出ステップを備え、
このガス流量検出ステップが、前記弁開閉ステップにより遮断弁を開弁することでガスを充填する際に、ガス流路内の流量を検出し、
前記判定ステップは、前記ガス流量検出ステップにより検出されたガスの流量特性と予め定められた流量特性とを対比し両者が一致しない場合にガスの漏洩と判定し、
前記弁開閉ステップは、前記判定に基づいて遮断弁を閉じることを特徴とするガスメータの制御方法。
【請求項１３】
ガス流路に設置した遮断弁の開閉を制御する弁開閉ステップと、遮断弁の下流に設けられたガス流路内の圧力を検出する圧力検出ステップと、ガスの漏洩を判定する判定ステップとを備え、前記圧力検出ステップによりガス流路内の圧力が検出されない場合に、前記弁開閉ステップにより遮断弁を開弁することでガスの充填を行い、その後遮断弁を閉じて、前記判定ステップにより圧力の減少から微小なガスの漏洩を判定するガスメータの制御方法において、
前記圧力検出ステップが、前記弁開閉ステップにより遮断弁を開弁することでガスを充填する際に、ガス流路内の圧力を検出し、
前記判定ステップは、前記圧力検出ステップにより検出されたガスの圧力特性と予め定められた圧力特性とを対比し両者が一致しない場合にガスの漏洩と判定し、
前記弁開閉ステップは、前記判定に基づいて遮断弁を閉じることを特徴とするガスメータの制御方法。
【請求項１４】
ガス流路に設置した遮断弁の開閉を制御する弁開閉ステップと、遮断弁の下流に設けられたガス流路内の圧力を検出する圧力検出ステップと、ガスの漏洩を判定する判定ステップとを備え、前記圧力検出ステップによりガス流路内の圧力が検出されない場合に、前記弁開閉ステップにより遮断弁を開弁することでガスの充填を行い、その後遮断弁を閉じて、前記判定ステップにより圧力の減少から微小なガスの漏洩を判定するガスメータの制御方法において、
前記ガス流路内の流量を検出するガス流量検出ステップを備え、
前記ガス流量検出ステップが、前記弁開閉ステップにより遮断弁を開弁することでガスを充填する際に、ガス流路内の流量を検出し、
前記圧力検出ステップが、前記弁開閉ステップにより遮断弁を開弁することでガスを充填する際に、ガス流路内の圧力を検出し、
前記判定ステップは、前記ガス流量検出ステップにより検出されたガスの流量特性と予め定められた流量特性とを対比し、かつ、前記圧力検出ステップにより検出されたガスの圧力特性と予め定められた圧力特性とを対比し、両対比のうち少なくとも一方が一致しない場合にガスの漏洩と判定し、
前記弁開閉ステップは、前記判定に基づいて遮断弁を閉じることを特徴とするガスメータの制御方法。
【発明の詳細な説明】
【技術分野】
【０００１】
本発明は、ガスの流量や圧力に対応するガス安全遮断機能を備えたガスメータに関するものである。
【背景技術】
【０００２】
近年、ガスメータでは、ガスの流量を流量計により検出する検出機能に加え、検出されたガス流量が所定値以上の場合に、ガス遮断弁を駆動してガス流路を閉止させるガス遮断機能を有するものが開発されている。そのため、配管中のガスの漏洩や、このガスの流出による事故を未然に防止することで安全性を保障している。
【０００３】
従来技術としては、ガス流量検出手段によってガス流路を流れるガスの流量が検出され、このガス流量検出手段の検出結果に応じて弁開閉手段によりガス流路を遮断し、復旧作業が行われた後、弁を開けることでガス流路内にガスを充填し、その後、弁開閉手段が再度ガス流路を遮断するガスメータが提案されている（特許文献１参照）。
【０００４】
このガスメータでは、ガス流路が再度遮断された状態で、ガス圧力検出手段の検出結果を判断すると共にその圧力変化率を求め、その圧力変化率が記憶手段に予め記憶された圧力変化率のどの範囲に該当するかを判別し、さらに圧力変動値が予め定めた基準値以内であるか否かを判断している。そのため、圧力変動値が基準値より大きいときにはガス漏れ有りと判断し、一方で、基準値以内にあるときはガス漏れ無しと判断する。すなわち、圧力変動値が基準値以内にあると判断することでガス流路が復帰し、これによりガス漏れ検査が終了する。
【特許文献１】特許３３５９４５０号公報
【発明の開示】
【発明が解決しようとする課題】
【０００５】
ところで、従来技術では、ガス流量検出手段の検出結果に応じて弁開閉手段によりガス流路が遮断され、復旧作業が行われた後、復帰遮断手段によって弁開閉手段が弁を開弁し、ガスが再充填される。そして、復帰遮断手段により弁開閉手段が駆動し、再度ガス流路が遮断され、この状況下でガスの圧力変動が検出される。
【０００６】
ここで、ガスメータ下流のガス配管の配管容量によって、再充填する際のガス体積が決まるので、メータを流れるガスの流量と時間をこのガス体積から決定することができる。そのため、再充填の時間が最大のガス配管容量から求まる時間に設定されるので、短いガス配管容量でも最大の配管容量から決まる時間中、ガスが充填され続けてしまう。つまり、ガスの漏洩要因となる配管の破断等が発生していると、ガスの充填後に圧力の変動を検査する従来のガスメータでは、設定時間分だけの体積ガスが外部に漏れてしまい、安全面を保障することできないといった問題生じる。
【０００７】
また、ガス再充填中は、なるべく早く測定を行わなければならないが、短時間で精度の高い測定を行うと、電池電流の消費が大きく、製品の寿命が短くなってしまう。そのため、従来技術のように、再充填が終わってから遮断弁を閉じ、長い時間をかけて流量及び圧力の測定を行っていたが、前記と同様に、配管の破断等によりガスが多く流れ出る漏れが発生している場合には、そのまま設定時間分だけの体積ガスが外部に漏れてしまい安全性が保障されないでいた。つまり、ガスの再充填時においては、短時間でガスが流路内に充填されてしまうため、なるべく長く充填時間を設け、制度の高いガスの流量及び圧量変化の測定を行う必要が生じていた。
【０００８】
さらに、従来技術では、配管の復旧作業中及び復帰後の結果を表示する手段がなく、結果として遮断弁が開弁することで復帰が成功するか、あるいは遮断弁が開弁せずに復帰が失敗することでしか、ユーザが確認できる手段が存在しなかった。そのため、復帰後の漏洩確認が終了した後でなければ、失敗の発生要因を調査することができず、ユーザの作業効率が著しく低下していた。
【０００９】
そこで、本発明は、以上のような従来技術の課題を解決するためになされたものであり、その目的は、早期にガス流量又は／及び圧力を検出することにより、ガス遮断機能の安全性がより向上したガスメータを提供することにある。
【課題を解決するための手段】
【００１０】
上述した目的を達成するために、本発明は、ガス流路に設置した遮断弁の開閉を制御する弁開閉手段と、遮断弁の下流に設けられたガス流路内の圧力を検出する圧力検出手段と、ガスの漏洩を判定する判定手段とを備え、前記圧力検出手段によりガス流路内の圧力が検出されない場合に、前記弁開閉手段により遮断弁を開弁することでガスの充填を行い、その後遮断弁を閉じて、前記判定手段により圧力の減少から微小なガスの漏洩を判定するガスメータにおいて、前記ガス流路内の流量を検出するガス流量検出手段を備え、このガス流量検出手段が、前記弁開閉手段により遮断弁を開弁することでガスを充填する際に、ガス流路内の流量を検出し、前記判定手段は、前記ガス流量検出手段により検出されたガスの流量特性と予め定められた流量特性とを対比し両者が一致しない場合にガスの漏洩と判定し、前記弁開閉手段は、前記判定に基づいて遮断弁を閉じることを特徴とする。
【００１１】
また、前記圧力検出手段が、前記弁開閉手段により遮断弁を開弁することでガスを充填する際に、ガス流路内の圧力を検出し、前記判定手段は、前記圧力検出手段により検出されたガスの圧力特性と予め定められた圧力特性とを対比し両者が一致しない場合にガスの漏洩と判定し、前記弁開閉手段は、前記判定に基づいて遮断弁を閉じることを特徴とする点も本発明の一態様である。
【００１２】
さらに、本発明の一態様には、上記の発明のカテゴリーを変更したガスメータの制御方法も包含する。なお、前記弁開閉手段は、遮断弁を開弁することでガスの充填を行うに当り、遮断弁の開弁量を制限して流入ガスの流量を調整することを特徴としている。
【００１３】
以上のような態様では、ガスが流路内に完全に充填する前に、ガスの流量又は圧力の変化によりガスの漏洩を検知できるので、ガス流路を直ちに遮断することが可能となり、結果的に外部へ漏洩するガスの流出量を少なくすることができるため安全性が向上する。
【００１４】
また、遮断弁の開弁量を調整することができるので、下流に流れるガスの流量は遮断弁との圧力損失により抑制され、充填時間の長時間化を図ることができる。そのため、ガスが充填中において、流量及び圧力を通常の消費電流により、高精度で測定することが可能となる。
【発明の効果】
【００１５】
以上のような本発明によれば、設定された再充填の時間より早くガスを遮断することができるので、結果的にガスの流路から外部へ漏洩する量を減らすことが可能となり、安全性の高いガスメータを提供することができる。また、遮断弁を制限することにより、ガス流路の下流に流れるガスの流量は遮断弁との圧力損失により抑制され、充填時間の長時間化を図ることができる。さらに、表示部にガスの圧力データや漏洩要因を表示することができるので、ガス流路の復旧の失敗時の状況を速やかにユーザに伝達することが可能となり、これにより、ユーザの作業効率が向上し、より早くガス流路の復帰作業に取り組むことができる。
【発明を実施するための最良の形態】
【００１６】
１．本実施形態
[構成]
図１は、本発明の実施形態に係るガスメータの基本構成を表したものである。なお、図示の繁雑化を避けるため、以下の説明では、ガス積算流量値の演算回路系などのような一般的なガスメータと同様の計量機能等を果たすための構成部位についての説明は省略する。
【００１７】
このガスメータは、外部から供給されるガスが流れる配管としてガス流路１１が配設されており、このガス流路１１を経由して需要家のガス機器（図示しない）にガスを送り出すよう構成されている。このガス流路１１には上流側からガスが漏洩しているなどの非常時に流路を遮断するための遮断弁１４が設置され、その下流側にガスの流量を計測するガス流量計測器１２と、ガス流路内のガスの圧力を計測するための圧力計測器１３が設けらている。また、このガスメータには、ガス流量計測器１２や圧力計測器１３からの出力信号を入力として、ガス漏れの有無を判断して遮断弁１４を制御する制御部１５が設けられている。さらに、このガスメータには、ガス流路１１内のガスの圧力データやガス流量データなどを表示する表示部１６が設けられている。
【００１８】
ガス流量計測器１２は、一般的なガスメータに用いられているものと同様に、ガス流路１１の上流側から下流側へと供給されるガスの流量を計測するもので、例えば、図１のように超音波センサ式のものを利用している。その他にも、熱線方式、フルイディック方式のような推量式のものや膜式のような機械式のものなどが利用可能である。もちろん、これらの方式の計測器に限定するものではないが、瞬時にガスの流量を計測する必要があるため、超音波センサ式のものが好ましい。また、十分な精度で流量計測が可能なものであることが必要である。
【００１９】
圧力計測器１３は、一般的なガスメータに用いられているものと同様に、上流側から下流側へ流れるガス流路１１内のガス圧力を計測するもので、例えば、図１のようにセンサ方式のものを利用している。なお、ガス流量計測器１２の場合と同様に、十分な精度で圧力計測が可能なものであることが必要である。
【００２０】
遮断弁１４は、弁体を閉じてガスの流れを遮断し、弁体を開いてガスを通す状態とする遮断と復帰の双方を電磁気的に行うことができる一般的な弁である。この遮断弁１４は、従来のものと同様であり、一般にガス流路１１内のガスの流れを遮断する調節弁と、制御部１５からの制御信号によって調節弁を制御する駆動部から構成される。なお、この遮断弁１４は、所定の流量を得るために制御部１５を通じて駆動部から調節弁を自由に調節することが可能である。すなわち、流れるガスの流量を調整するために開弁量を制限することが可能である。
【００２１】
制御部１５は、遮断弁の開閉動作を制御するものであり、ＣＰＵ、ＲＯＭ、ＲＡＭ、クロックなどから構成されている。ここで、遮断弁を開閉させるために制御部１５が有する各手段について図２に基づいて以下に説明する。
【００２２】
１５ａは、ガス流路１１を流れるガス流量をガス流量計測器１２を通じて検出するガス流量検出手段である。そして、１５ｂは、ガス流路１１内のガス圧力の変動を圧力計測器１３を通じて検出するガス圧力検出手段である。
【００２３】
１５ｃは、ガス流量検出手段１５ａの検出結果や、ガス圧力検出手段１５ｂの検出結果に応じてガス流路１１に設置した遮断弁１４を開閉させる弁開閉手段である。具体的には、この弁開閉手段１５ｃは、ガス流量検出手段１５ａにより検出したガス流量に応じてガス流路１１を遮断し、ガスが漏洩している場合にはガス流路１１の復旧後に遮断弁１４を開けさせ、ガス流路内のガスの漏洩調査のために再度遮断弁１４を閉じる機能を有している。
【００２４】
１５ｄは、後述する記憶手段１５ｅに予め記憶されたガスの流量特性と実際にガス流量検出手段１５ａで検出したガスの流量特性とを対比し、さらに、記憶手段１５ｅに予め記憶された圧力特性とガス圧力検出手段１５ｂで検出したガスの圧力特性とを対比し、ガスの漏洩を判定する判定手段である。
【００２５】
具体的には、ガス流路１１の復旧後に遮断弁１４を開け、再度ガスを充填する際に、ガス流量検出手段１５ａにより検出したガス流路１１内に流れるガス流量特性が記憶手段１５ｅに予め記憶されたガス流量特性に一致しない場合には、ガス漏洩が発生すると判定し、弁開閉手段１５ｃに対して遮断弁１４を閉じるよう動作制御を行う。また、ガス圧力検出手段１５ｂで検出したガス圧力特性が記憶手段１５ｅに予め記憶された圧力特性に一致しない場合にも、ガス漏洩が発生すると判定し、弁開閉手段１５ｃに対して遮断弁１４を閉じるよう動作制御を行う。
【００２６】
一方、ガスを再充填する際、ガスの流量及び圧力の両方を検出する場合において、この判定手段１５ｄは、実際に検出したガス流路１１内のガスの流量特性が記憶手段１５ｅに記憶されたガス流量特性に一致し、かつ、実際に検出したガスの圧力特性が記憶手段１５ｅに記憶された圧力特性に一致すると判断するとガスの漏洩が無いものと判定する。なお、ガスを再充填する際、ガスの流量、あるいは圧力のどちらか一方を検出する場合には、検出する一方のデータが記憶手段１５ｅに記憶された特性に一致すると、ガスの漏洩が無いとものと判定される。
【００２７】
また、この判定手段１５ｄは、遮断弁１４の遮断時において、ガス圧力検出手段１５ｂで検出したガス圧力が低下しているか否も判断する。
【００２８】
１５ｅは、上述の通り、予め定めたガス流路１１内のガスの流量特性と圧力特性を記憶しておく記憶手段である。ここで、ガス流路１１の配管容量によりガスメータを流れるガスの流量と時間が決まるので、この記憶手段１５ｅは、配管容量の大小に対応させた再充填時の流入するガス流量特性と圧力特性を予め記憶しておくものである。
【００２９】
なお、記憶手段１５ｅに予め記憶されたガスの流量特性とは、弁開閉手段１５ｃが遮断弁１４を開弁することでガスを充填する際に、ガスの漏洩がない場合におけるガス流路１１内のガスの流量値及び流量の経時的変化に関するものである。また、記憶手段１５ｅに予め記憶されたガスの圧力特性とは、ガスを充填する際に、ガスの漏洩がない場合におけるガス流路１１内のガスの圧力値及び圧力の経時的変化に関するものである。
【００３０】
ここで、記憶手段１５ｅは、流量特性である流量の経時的変化、すなわち流量パターンとして遮断弁１４が全開である図９と遮断弁１４が半開である図１３が記憶されている。また、圧力特性である圧力の経時的変化、すなわち圧力変動パターンとして遮断弁１４が全開である図１１と遮断弁１４が半開である図１５が記憶されている。なお、各パターンは、ガス流路１１である配管容量の大小に分けて予め定められたものである。
【００３１】
表示部１６は、ガス圧力検出手段１５ｂにより検出されたガス流路１１内の圧力データなどを含むガスに関連する情報を表示するものである。また、単に検出されたガス圧力データを数値として表示するだけでなく、ガス圧力データの変動を視覚的に解り易く伝達するために、文字やグラフなどの図形により表示することも可能である。
【００３２】
なお、ガスの漏洩によりガス流路１１の復帰が失敗した場合に、この表示部１６には、失敗した原因としてガスの流量検知、あるいはガスの圧力低下検知を表示する機構を設けている。さらに、表示部１６には、後述する実施例の中で、検出したガスの流量又は圧力の判定手段１５ｄによる判定作業に要する時間である判定時間、すなわち判定作業を繰り返し行う所定の経過時間を残量時間という態様で表示する機構を設けている。
【００３３】
［動作例］
次に、本発明であるガスメータの動作例を図３〜６のフローチャートを参照して説明する。また、表示部１６の表示例を図７に基づいて説明する。なお、以下で用いている流量特性とは、ガスの流量の経時的変化である流量パターンを示すものであり、圧力特性とは、ガスの圧力の経時的変化である圧力変動パターンを示すものである。
【００３４】
（１）第１の実施例
本実施例では、ガス流量検出手段１５ａの検出結果に応じてガスの漏洩が発覚し、弁開閉手段１５ｃを通じてガス流路１１が遮断され、復旧作業の終了後におけるガス流路１１のガスの漏洩の確認フローについて図３に基づき説明する。なお、以下の第２〜４の実施例もこの状況下における復旧後のガスの漏洩確認フローについて説明している。
【００３５】
復旧後、まず、現在のガス流路１１内のガスの圧力の有無を確認するため、ガス流路１１の下流部においてガス圧力検出手段１５ｂにより圧力計測器１３を通じてガス圧力がないか否かを計測する（ＳＴＥＰ３０１）。ガス圧力があった場合には（ＮＯ）、検出したガス流路１１内のガス圧力が判定手段１５ｄにより低下しているか否かが判断される。
【００３６】
一方、ガス圧力検出手段１５ｂによりガスの圧力が検出されなかった場合には（ＹＥＳ）、判定手段１５ｄが弁開閉手段１５ｃを通じて、遮断弁１４を開弁させる（ＳＴＥＰ３０２）。これにより、ガス流路１１内に再びガスが充填されることになる。
【００３７】
ここで、本実施例の特徴として、ガス流量検出手段１５ａにより、ガス流路１１内に再充填させる際に流れるガスの流量を超音波センサであるガス流量計測器１２を通じて瞬時に検出する（ＳＴＥＰ３０３）。そして、ガス流量検出手段１５ａにより検出されたガスの流量特性が記憶手段１５ｅに予め記憶されているガスの流量特性と一致するか否かが判定手段１５ｄにより判断される（ＳＴＥＰ３０４）。
【００３８】
具体的には、図９のように、記憶手段１５ｅには、ガス漏洩のないガス流路１１におけるガスの再充填時の流入ガスの流量特性が、ガス流路１１の配管容量の大きさに応じて予め記憶されている。ここで、判定手段１５ｄが、図１０に示すようなガスの再充填時にガス流量検出手段１５ａにより検出されたガスの流量特性と、上記の記憶手段１５ｅに記憶された流量特性をガス流路１１の容量に対応させて対比する。
【００３９】
例えば、ガス流路１１である配管の容量が大きい時のガスの流量を比較すると、ガス漏洩のない図９では、ガス流入時に急激にガス流量が増加するが、時間の経過と共に流路１１内のガスは充填し、流入ガスの流量はなくなってしまう。これに対し、図１０の漏れが大きい場合では、漏洩がない場合と同様にガスの流入時にガス流量は急激に増加するが、漏れが大きいため流路１１内にガスが充填されることはなく、時間が経過しても流入時よりも少し減少したガス流量が流路１１内に流れ続けている。つまり、この両者の差異に基づいてガス漏洩の有無を判定手段１５ｄが判定することとなる。なお、図１０には、実際に検出された流量パターン例として、ガス流路１１である配管の容量が大きい場合だけでなく、小さい場合も示しており、またガス漏洩の大小にも対応させている。
【００４０】
この判定手段１５ｄにより、実際に検出されたガスの流量特性が予め記憶されていた流量特性に一致しないと判断された場合には（ＮＯ）、ガス漏れが発生しているので、弁開閉手段１５ｃを通じて直ちに遮断弁１４を閉じ流路１１を遮断する（ＳＴＥＰ３０５）。これに対し、判定手段１５ｄにより、実際に検出されたガスの流量特性が予め記憶されていた流量特性に一致すると判断された場合には（ＹＥＳ）、ガスの漏洩を確認するために実際のガス流量特性と記憶されたガス流量特性との約５秒間の判定を繰り返す（ＳＴＥＰ３０６）。
【００４１】
そして、この約５秒間の判定時間が経過した場合には（ＹＥＳ）、弁開閉手段１５ｃにより遮断弁１４を通じてガス流路１１を遮断する（ＳＴＥＰ３０７）。その後、ガス流路１１内のガスの圧力をガス圧力検出手段１５ｂにより検出し、判定手段１５ｄが配管内のガス圧力が低下しているか否かを判断する（ＳＴＥＰ３０８）。ガス圧力が低下していると判断された場合には（ＹＥＳ）、ガスが漏洩しているので、ガス流路１１である配管の復旧作業が失敗に終わったこととなる（ＳＴＥＰ３０９）。
【００４２】
一方で、判定手段１５ｄにより、ガスの圧力が低下していないと判断された場合には（ＮＯ）、約２分間のガス圧力の漏洩確認判定作業を繰り返す（ＳＴＥＰ３１０）。そして、約２分間のガス圧力の漏洩確認判定作業が終了した場合には（ＹＥＳ）、ガスの漏洩が無いと判定手段１５ｄにより判定され、弁開閉手段１５ｃが遮断弁１４を開弁し、ガス流路１１の復帰確認フローは終了する（ＳＴＥＰ３１１）。
【００４３】
（２）第２の実施例
本実施例では、上記の実施例と同様に、弁開閉手段１５ｃを通じてガス流路１１が遮断され、復旧作業の終了後におけるガス流路１１のガスの漏洩の確認フローについて図４に基づき説明する。
【００４４】
復旧後、まず、第１の実施例と同様に、現在のガス流路１１内のガス圧力の有無を確認するため、ガス流路１１の下流部においてガス圧力検出手段１５ｂにより圧力計測器１３を通じてガス圧力がないか否かを計測する（ＳＴＥＰ４０１）。ガス圧力があった場合には（ＮＯ）、検出したガス流路１１内のガス圧力が判定手段１５ｄにより低下しているか否かが判断される。
【００４５】
一方、ガス圧力検出手段１５ｂによりガス圧力が検出されなかった場合には（ＹＥＳ）、判定手段１５ｄが弁開閉手段１５ｃを通じて、遮断弁１４を開弁させる（ＳＴＥＰ４０２）。これにより、ガス流路１１内に再びガスが充填されることになる。
【００４６】
ここで、本実施例の特徴として、ガス圧力検出手段１５ｂにより、ガス流路１１内に再充填させる際のガスの圧力を圧力計測器１３を通じて検出する（ＳＴＥＰ４０３）。そして、ガス圧力検出手段１５ｂにより検出されたガスの圧力特性が記憶手段１５ｅに予め記憶されている圧力特性と一致するか否かが判定手段１５ｄにより判断される（ＳＴＥＰ４０４）。
【００４７】
具体的には、図１１のように、記憶手段１５ｅには、ガス漏洩のないガス流路１１におけるガスの再充填時の流入ガスの圧力特性が、ガス流路１１の配管容量の大きさに応じて予め記憶されている。ここで、判定手段１５ｄが、図１２に示すようなガスの再充填時にガス圧力検出手段１５ｂにより検出されたガスの圧力特性と、上記の記憶手段１５ｅに記憶された圧力特性をガス流路１１の容量に対応させて対比する。
【００４８】
例えば、ガス流路１１である配管の容量が大きい時のガスの圧力を比較すると、ガス漏洩のない図１１では、ガス流入時から時間が経過すると共に、流路１１内にガスが充填されていくに連れて圧力が増加していく。これに対し、図１２のガスの漏れが大きい場合では、大量のガスが漏れているため流路１１内にガスが充填されず、圧力の増加割合がガス漏洩のない圧力特性と比較して小さいものとなる。つまり、この両者の差異に基づいてガス漏洩の有無を判定手段１５ｄが判定することとなる。なお、図１２には、実際に検出された圧力パターン例として、ガス流路１１である配管の容量が大きい場合だけでなく、小さい場合も示しており、またガス漏洩の大小にも対応させている。
【００４９】
この判定手段１５ｄにより、実際に検出されたガスの圧力特性が予め記憶されていた圧力特性に一致しないと判断された場合には（ＮＯ）、ガス漏れが発生しているので、弁開閉手段１５ｃを通じて直ちに遮断弁１４を閉じ流路１１を遮断する（ＳＴＥＰ４０５）。これに対し、判定手段１５ｄにより、実際に検出されたガスの圧力特性が予め記憶されていた圧力特性に一致すると判断された場合には（ＹＥＳ）、ガスの漏洩を確認するために実際のガス圧力特性と記憶されたガス圧力特性との約５秒間の判定を繰り返す（ＳＴＥＰ４０６）。
【００５０】
そして、この約５秒間の判定時間が経過すると（ＹＥＳ）、弁開閉手段１５ｃにより遮断弁１４を通じてガス流路１１を遮断する（ＳＴＥＰ４０７）。その後、ガス流路１１内のガスの圧力をガス圧力検出手段１５ｂにより検出し、判定手段１５ｄが配管内のガス圧力が低下しているか否かを判断する（ＳＴＥＰ４０８）。ガス圧力が低下していると判断された場合には（ＹＥＳ）、ガスが漏洩しているので、ガス流路１１である配管の復旧作業が失敗に終わったこととなる（ＳＴＥＰ４０９）。
【００５１】
一方で、判定手段１５ｄにより、ガスの圧力が低下していないと判断された場合には（ＮＯ）、約２分間のガス圧力の漏洩確認判定作業を繰り返す（ＳＴＥＰ４１０）。そして、約２分間のガス圧力の漏洩確認判定作業が終了した場合には（ＹＥＳ）、ガスの漏洩が無いと判定手段１５ｄにより判定され、弁開閉手段１５ｃが遮断弁１４を開弁して、ガス流路１１の復帰確認フローは終了する（ＳＴＥＰ４１１）。
【００５２】
以上のように、第１、２の実施例によれば、設定された再充填の時間より早くガスを遮断することができるので、結果的にガスが流路１１から外部へ漏洩する量を減らすことが可能となり、安全性の高いガスメータを提供することができる。
【００５３】
（３）第３の実施例
本実施例では、上記の実施例と同様に、弁開閉手段１５ｃを通じてガス流路１１が遮断され、復旧作業の終了後におけるガス流路１１のガスの漏洩の確認フローにおいて、ガスの再充填時間を長くする動作について図５に基づき説明する。
【００５４】
復旧後、まず、現在のガス流路１１内のガスの圧力の有無を確認するため、ガス流路１１の下流部においてガス圧力検出手段１５ｂにより圧力計測器１３を通じてガスの圧力がないか否かを計測する（ＳＴＥＰ５０１）。ガスの圧力があった場合には（ＮＯ）、検出したガス流路１１内のガスの圧力が判定手段１５ｄにより低下しているか否かが判断される。
【００５５】
一方、ガス圧力検出手段１５ｂにより圧力が検出されなかった場合には（ＹＥＳ）、本実施例の特徴として、判定手段１５ｄが、弁開閉手段１５ｃを通じて、遮断弁１４を半開させる（ＳＴＥＰ５０２）。そのため、遮断弁１４の弁体とケースの間に生じる圧力損失により、下流に流入するガスの流量が抑制され、ガス流路１１内にガスを再充填する時間が長くなる。なお、遮断弁１４に開弁量は半開に限定されず、流入するガスの流量を調整するため、弁開閉手段１５ｃにより調節可能である。
【００５６】
そして、ガス流量検出手段１５ａにより、ガス流路１１内に再充填させる際に流れるガスの流量を超音波センサであるガス流量計測器１２を通じて瞬時に検出する（ＳＴＥＰ５０３）。そして、ガス流量検出手段１５ａにより検出されたガスの流量特性が記憶手段１５ｅに予め記憶されているガス流量特性と一致するか否かが判定手段１５ｄにより判断される（ＳＴＥＰ５０４）。
【００５７】
具体的には、図１３のように、記憶手段１５ｅには、ガス漏洩のないガス流路１１におけるガスの再充填時の流入ガスの流量特性が、ガス流路１１の配管容量の大きさに応じて予め記憶されている。ここで、判定手段１５ｄが、図１４に示すような、ガスの再充填時におけるガス流量検出手段１５ａにより検出されたガスの流量特性と、上記の記憶手段１５ｅに記憶された流量特性をガス流路１１の容量に対応させて対比する。
【００５８】
例えば、ガス流路１１である配管の容量が大きい時のガスの流量を比較すると、ガス漏洩のない図１３では、ガス流入時に急激にガス流量が増加し、遮断弁を半開にしたため、ある程度の時間、流量が一定に保たれることとなり、その後、流路内を流れるガスの流量が減少していく。これに対し、図１４の漏れが大きい場合では、漏洩がない場合と同様にガスの流入時においてはガス流量が急激に増加するが、漏れが大きいので流路１１内にガスが充填されることはなく、時間が経過しても流量が一定状態に保たれ続けている。つまり、この両者の差異に基づいてガス漏洩の有無を判定手段１５ｄが判定することとなる。なお、図１４には、実際に検出された流量パターン例として、ガス流路１１である配管の容量が大きい場合だけでなく、小さい場合も示しており、またガスの漏洩の大小にも対応させている。
【００５９】
この判定手段１５ｄにより、実際に検出されたガスの流量特性が予め記憶されていた流量特性に一致しないと判断された場合には（ＮＯ）、ガス漏れが発生しているので、弁開閉手段１５ｃを通じて直ちに遮断弁１４を閉じ流路１１を遮断する（ＳＴＥＰ５０５）。これに対し、判定手段１５ｄにより、実際に検出されたガスの流量特性が予め記憶されていた流量特性に一致すると判断された場合には（ＹＥＳ）、ガスの漏洩を確認するために実際のガス流量特性と記憶されたガス流量特性との約５秒間の判定を繰り返す（ＳＴＥＰ５０６）。
【００６０】
そして、この約５秒間の判定時間が経過した場合には（ＹＥＳ）、弁開閉手段１５ｃにより遮断弁１４を通じてガス流路１１を遮断する（ＳＴＥＰ５０７）。その後、ガス流路１１内のガスの圧力をガス圧力検出手段１５ｂにより検出し、判定手段１５ｄが配管内のガスの圧力が低下しているか否かを判断する（ＳＴＥＰ５０８）。ガスの圧力が低下していると判断された場合には（ＹＥＳ）、ガスが漏洩しているので、ガス流路１１である配管の復旧作業が失敗に終わったこととなる（ＳＴＥＰ５０９）。
【００６１】
一方で、判定手段１５ｄにより、ガスの圧力が低下していないと判断された場合には（ＮＯ）、約２分間のガス圧力の漏洩確認判定作業を繰り返す（ＳＴＥＰ５１０）。そして、約２分間のガス圧力の漏洩確認判定作業が終了した場合には（ＹＥＳ）、ガスの漏洩が無いと判定手段１５ｄにより判定され、弁開閉手段１５ｃが遮断弁１４を全開にし、ガス流路１１の復帰確認フローは終了する（ＳＴＥＰ５１１）。
【００６２】
なお、本実施例では、ガスをガス流路１１内に再充填するに当り、弁開閉手段１５ｃが遮断弁１４を半開にしているが、ガスの充填時間を遮断弁１４が全開した場合よりも長くすることが可能であれば半開に限定するものではない。
【００６３】
以上のように、第３の実施例では、弁開閉手段１５ｃにより遮断弁１４を半開にするので、ガス流路１１の下流に流れるガスの流量は遮断弁１４との圧力損失により抑制され、充填時間の長時間化を図ることができる。
【００６４】
具体的には、ガス流量の変化として、ガス漏洩がない場合の遮断弁１４を全開にした図９と遮断弁１４を半開にした図１３とを比較した場合を以下に説明する。図９の通り、遮断弁１４を全開にした流量特性はガスの流入時に急激に増加し、その後、すぐに流路１１内にガスが充填してしまうので、短時間で流量が直ちに減少してしまう。これに対し、遮断弁１４を半開にした図１３では、ガスの流入時には流量が急激に増加するが、その後、一定時間流量が一定の状態に保たれる。つまり、遮断弁１４の全開時と比べて半開時の方がガスの充填時間を長く確保することが可能となる。このことは、ガスの漏洩がある場合においても同様であるため、顕著に遮断弁１４の開弁量は充填時間に対応することが確認できる。
【００６５】
（４）第４の実施例
本実施例では、上記の実施例と同様に、弁開閉手段１５ｃを通じてガス流路１１が遮断され、復旧作業の終了後におけるガス流路１１のガスの漏洩の確認フローにおいて、ガスの再充填時間を長くする動作について図６に基づき説明する。
【００６６】
復旧後、まず、上記実施例と同様に、現在のガス流路１１内のガス圧力の有無を確認するため、ガス流路１１の下流部においてガス圧力検出手段１５ｂにより圧力計測器１３を通じてガス圧力がないか否かを計測する（ＳＴＥＰ６０１）。ガス圧力があった場合には（ＮＯ）、検出したガス流路１１内のガス圧力が判定手段１５ｄにより低下しているか否かが判断される。
【００６７】
一方、ガス圧力検出手段１５ｂにより圧力が検出されなかった場合には（ＹＥＳ）、本実施例の特徴として、判定手段１５ｄが、弁開閉手段１５ｃを通じて、遮断弁１４を半開させる（ＳＴＥＰ６０２）。これにより、遮断弁１４の弁体とケースの間に生じる圧力損失により、下流に流入するガスの流量が抑制され、ガス流路１１内いガスを再充填する時間が長くなる。なお、遮断弁１４に開弁量は半開に限定されず、流入するガスの流量を調整するため、弁開閉手段１５ｃにより調節可能である。
【００６８】
そして、ガス圧力検出手段１５ｂにより、ガス流路１１内に再充填させる際のガスの圧力を圧力計測器１３を通じて検出する（ＳＴＥＰ６０３）。その後、ガス圧力検出手段１５ｂにより検出されたガスの圧力特性が記憶手段１５ｅに予め記憶されている圧力特性と一致するか否かが判定手段１５ｄにより判断される（ＳＴＥＰ６０４）。
【００６９】
具体的には、図１５のように、記憶手段１５ｅには、ガス漏洩のないガス流路１１におけるガスの再充填時の流入ガスの圧力特性が、ガス流路１１である配管容量の大きさに応じて予め記憶されている。ここで、判定手段１５ｄが、図１６に示すような、ガスの再充填時におけるガス圧力検出手段１５ｂにより検出されたガスの圧力特性と、上記の記憶手段１５ｅに記憶された圧力特性をガス流路１１の容量に対応させて対比する。
【００７０】
例えば、ガス流路１１である配管の容量が大きい時のガスの圧力を比較すると、ガス漏洩のない図１５では、ガス流入時から時間が経過すると共に流路１１内にガスが充填され、圧力が増加していく。これに対し、図１６のガスの漏れが大きい場合では、大量のガスが漏れているため流路１１内にガスが充填されず、圧力の増加割合がガス漏洩のない圧力特性と比較して小さいものとなる。つまり、この両者の差異に基づいてガス漏洩の有無を判定手段１５ｄが判定することとなる。なお、図１６には、実際に検出された圧力パターン例として、ガス流路１１である配管の容量が大きい場合だけでなく、小さい場合も示しており、またガス漏洩の大小にも対応させている。
【００７１】
そして、この判定手段１５ｄにより、実際に検出されたガスの圧力特性が予め記憶されていた圧力特性に一致しないと判断された場合には（ＮＯ）、ガス漏れが発生しているので、弁開閉手段１５ｃを通じて直ちに遮断弁１４を閉じ流路１１を遮断する（ＳＴＥＰ６０５）。これに対し、判定手段１５ｄにより、実際に検出されたガスの圧力特性が予め記憶されていた圧力特性に一致すると判断された場合には（ＹＥＳ）、ガスの漏洩を確認するために実際のガス圧力と記憶されたガス圧力特性との約５秒間の判定を繰り返す（ＳＴＥＰ６０６）。
【００７２】
そして、この約５秒間の判定時間が経過すると（ＹＥＳ）、弁開閉手段１５ｃにより遮断弁１４を通じてガス流路１１を遮断する（ＳＴＥＰ６０７）。その後、ガス流路１１内のガスの圧力をガス圧力検出手段１５ｂにより検出し、判定手段１５ｄが配管内のガス圧力が低下しているか否かを判断する（ＳＴＥＰ６０８）。ガス圧力が低下していると判断された場合には（ＹＥＳ）、ガスが漏洩しているので、ガス流路１１である配管の復旧作業が失敗に終わったこととなる（ＳＴＥＰ６０９）。
【００７３】
一方で、判定手段１５ｄにより、ガスの圧力が低下していないと判断された場合には（ＮＯ）、約２分間のガス圧力の漏洩確認判定作業を繰り返す（ＳＴＥＰ６１０）。そして、約２分間のガス圧力の漏洩確認判定作業が終了した場合には（ＹＥＳ）、ガスの漏洩が無いと判定手段１５ｄにより判定され、弁開閉手段１５ｃが遮断弁１４を開弁して、ガス流路１１の復帰確認フローは終了する（ＳＴＥＰ６１１）。
【００７４】
以上のように、第４の実施例では、弁開閉手段１５ｃにより遮断弁１４を半開にするので、ガス流路１１の下流に流れるガスの流量は遮断弁１４との圧力損失により抑制され、充填時間の長時間化を図ることができる。
【００７５】
これにより、ガス漏洩がない場合において、遮断弁１４を全開にした図１１と遮断弁１４を半開にした図１５とを対比すると、ガスの再充填時にガスが流入する際の増加割合が遮断弁が半開である場合の方が全開である場合に比べて緩やかであることが理解できる。すなわち、ガス圧力のピーク値までの増加をガス圧力検出手段１５ｂが検出する際には、遮断弁が半開である方が検出時間を長く確保することが可能となる。
【００７６】
（５）表示例
次に、図７を参照にして表示部１６におけるガス流路１１内の圧力値に基づくデータの表示例について説明する。
【００７７】
図７（ａ）は、ガス圧力検出手段１５ｂに検出した圧力データの表示例である。この場合、検出した圧力データが数値として表示部１６に表示される。つまり、検出された圧力データの確認中には、通常、ガス流量などの他の情報を表示している部分が圧力値表示に切り替えられる。
【００７８】
図７（ｂ）、（ｃ）及び（ｄ）は、ガス流路１１内の圧力データの変動についての表示例である。図７ｂは、ガス圧力検出手段１５ｂにより検出されるガスの圧力データが上昇、あるいは下降する場合を文字データとして表示部１６に表示している。これに対し、図７（ｃ）及び（ｄ）は、圧力データの変動を例えば、上昇している場合に右に上向き、下降している場合に右に下向きの図形により視覚的に認識し易い態様で表示している。
【００７９】
図７（ｅ）は、ガス流路１１の復旧が失敗した要因が、ガスの流量検知か、あるいは圧力低下検知かを文字データとして表示する表示部１６の表示例である。すなわち、上述した実施例において、実際に検出したガスの流量又は圧力特性が、記憶手段１５ｅに予め記憶されている特性と一致せず、ガスの漏洩により復旧が失敗に終わった場合に、漏洩確認後一定時間、失敗した要因としてガス流量検知、あるいは圧力低下検知の文字データが表示されるものである。
【００８０】
図７（ｆ）は、上述した実施例の中で、検出したガスの流量又は圧力の判定手段１５ｄによる判定作業に要する判定時間、すなわち判定作業を繰り返し行う所定の経過時間を残量時間という態様で表示する表示部１６の表示例である。
【００８１】
以上のような表示部１６の表示例によれば、ユーザは、ガス流路１１内の圧力値やガス流路１１を復帰させるための漏洩確認フロー中の失敗要因を把握できるので、対策作業を直ちに提案することが可能となり、また、作業効率が飛躍的に向上する。
【００８２】
３．他の実施形態
なお、本発明は以上のような実施形態に限定されるものではなく、ガスの再充填時において、実施例（１）のガス流量検出手段１５ａによるガスの流量の検出と、実施例（２）のガス圧力検出手段１５ｂによる圧力の検出の双方を行う以下の実施形態も包含する。
【００８３】
この実施例では、上記の実施例と同様に、弁開閉手段１５ｃを通じてガス流路１１が遮断され、復旧作業の終了後におけるガス流路１１内のガスの漏洩の確認フローについて図８に基づき説明する。
【００８４】
上記の実施例と同様に、復旧後、まず、現在のガス流路１１内のガスの圧力の有無を確認するため、ガス流路１１の下流部においてガス圧力検出手段１５ｂにより圧力計測器１３を通じてガスの圧力がないか否かを計測する（ＳＴＥＰ８０１）。圧力があった場合には（ＮＯ）、検出したガス流路１１内のガスの圧力が判定手段１５ｄにより低下しているか否かが判断される。
【００８５】
一方、ガス圧力検出手段１５ｂによりガスの圧力が検出されなかった場合には（ＹＥＳ）、判定手段１５ｄが弁開閉手段１５ｃを通じて、遮断弁１４を開弁させる（ＳＴＥＰ８０２）。これにより、ガス流路１１内に再びガスが充填されることになる。
【００８６】
ここで、本実施例の特徴として、ガス流量検出手段１５ａにより、ガス流路１１内に再充填させる際に流れるガスの流量を超音波センサであるガス流量計測器１２を通じて瞬時に検出する（ＳＴＥＰ８０３）。さらに、ガスの流量に加え、ガスの圧力もガス圧力検出手段１５ｂにより、圧力計測器１３を通じて検出する（ＳＴＥＰ８０４）。
【００８７】
そして、判定手段１５ｄが、ガス流量検出手段１５ａにより検出されたガスの流量特性が記憶手段１５ｅに予め記憶されているガス流量特性と一致するか否かを判断し、さらに、ガス圧力検出手段１５ｂにより検出されたガスの圧力特性が記憶手段１５ｅに予め記憶されている圧力特性と一致するか否かを判断する（ＳＴＥＰ８０５）。
【００８８】
この判定手段１５ｄにより、実際に検出されたガス流量特性とガス圧力特性の少なくとも一方が予め記憶されていた流量、あるいは圧力特性に一致しないと判断された場合には（ＮＯ）、ガス漏れが発生しているので、弁開閉手段１５ｃを通じて直ちに遮断弁１４を閉じ流路１１を遮断する（ＳＴＥＰ８０６）。これに対し、判定手段１５ｄにより、実際に検出されたガス流量特性とガス圧力特性の双方が予め記憶されていた特性に一致すると判断された場合には（ＹＥＳ）、ガスの漏洩を確認するために実際のガスの流量及び圧力と記憶された各特性との約５秒間の判定を繰り返す（ＳＴＥＰ８０７）。
【００８９】
そして、この約５秒間の判定時間が経過した場合には（ＹＥＳ）、弁開閉手段１５ｃにより遮断弁１４を通じてガス流路１１を遮断する（ＳＴＥＰ８０８）。その後、ガス流路１１内のガス圧力をガス圧力検出手段１５ｂにより検出し、判定手段１５ｄが配管内のガスの圧力が低下しているか否かを判断する（ＳＴＥＰ８０９）。圧力が低下していると判断された場合には（ＹＥＳ）、ガスが漏洩しているので、ガス流路１１である配管の復旧作業が失敗に終わったこととなる（ＳＴＥＰ８１０）。
【００９０】
一方で、判定手段１５ｄにより、ガスの圧力が低下していないと判断された場合には（ＮＯ）、約２分間のガス圧力の漏洩確認判定作業を繰り返す（ＳＴＥＰ８１１）。そして、約２分間のガス圧力の漏洩確認判定作業が終了した場合には（ＹＥＳ）、ガスの漏洩が無いと判定手段１５ｄにより判定され、弁開閉手段１５ｃが遮断弁１４を開弁して、ガス流路１１の復帰確認フローは終了する（ＳＴＥＰ８１２）。
【００９１】
また、本発明は、第３、４の実施例で説明した遮断弁１４を半開にする制御方法を、上記の図８のフローチャートに基づく他の実施例に適用する実施形態も包含するものである。
【図面の簡単な説明】
【００９２】
【図１】本発明の実施形態におけるガスメータの構成図
【図２】本発明の実施形態における制御部のブロック回路図
【図３】本発明の実施形態における第１の実施例
【図４】本発明の実施形態における第２の実施例
【図５】本発明の実施形態における第３の実施例
【図６】本発明の実施形態における第４の実施例
【図７】本発明の実施形態における表示部の表示例
【図８】本発明の他の実施形態における実施例
【図９】本発明の実施形態における第１の実施例の流量特性（１）
【図１０】本発明の実施形態における第１の実施例の流量特性（２）
【図１１】本発明の実施形態における第２の実施例の圧力特性（１）
【図１２】本発明の実施形態における第２の実施例の圧力特性（２）
【図１３】本発明の実施形態における第３の実施例の流量特性（１）
【図１４】本発明の実施形態における第３の実施例の流量特性（２）
【図１５】本発明の実施形態における第４の実施例の圧力特性（１）
【図１６】本発明の実施形態における第４の実施例の圧力特性（２）
【符号の説明】
【００９３】
１１…ガス流路
１２…ガス流量計測器
１３…圧力計測器
１４…遮断弁
１５…制御部
１５ａ…ガス流量検出手段
１５ｂ…ガス圧力検出手段
１５ｃ…弁開閉手段
１５ｄ…判定手段
１５ｅ…記憶手段
１６…表示部
【図１】
2008111672.tif 000003
【図２】
2008111672.tif 000004
【図３】
2008111672.tif 000005
【図４】
2008111672.tif 000006
【図５】
2008111672.tif 000007
【図６】
2008111672.tif 000008
【図７】
2008111672.tif 000009
【図８】
2008111672.tif 000010
【図９】
2008111672.tif 000011
【図１０】
2008111672.tif 000012
【図１１】
2008111672.tif 000013
【図１２】
2008111672.tif 000014
【図１３】
2008111672.tif 000015
【図１４】
2008111672.tif 000016
【図１５】
2008111672.tif 000017
【図１６】
2008111672.tif 000018
【手続補正書】
【提出日】平成19年1月25日(2007.1.25)
【手続補正１】
【補正対象書類名】特許請求の範囲
【補正対象項目名】全文
【補正方法】変更
【補正の内容】
【特許請求の範囲】
【請求項１】
ガス流路に設置した遮断弁の開閉を制御する弁開閉手段と、遮断弁の下流に設けられたガス流路内の圧力を検出する圧力検出手段と、ガスの漏洩を判定する判定手段とを備え、前記圧力検出手段によりガス流路内の低下した圧力を検出した場合に、前記弁開閉手段により遮断弁を開弁することでガスの充填を行い、その後遮断弁を閉じて、前記判定手段により圧力の減少から微小なガスの漏洩を判定するガスメータにおいて、
前記ガス流路内の流量を検出するガス流量検出手段を備え、
このガス流量検出手段が、前記弁開閉手段により遮断弁を開弁することでガスを充填する際に、ガス流路内の流量を検出し、
前記判定手段は、前記ガス流量検出手段により検出されたガスの流量特性と予め定められた流量特性とを対比し両者が一致しない場合にガスの漏洩と判定し、
前記弁開閉手段は、前記判定に基づいて遮断弁を閉じることを特徴とするガスメータ。
【請求項２】
ガス流路に設置した遮断弁の開閉を制御する弁開閉手段と、遮断弁の下流に設けられたガス流路内の圧力を検出する圧力検出手段と、ガスの漏洩を判定する判定手段とを備え、前記圧力検出手段によりガス流路内の低下した圧力を検出した場合に、前記弁開閉手段により遮断弁を開弁することでガスの充填を行い、その後遮断弁を閉じて、前記判定手段により圧力の減少から微小なガスの漏洩を判定するガスメータにおいて、
前記圧力検出手段が、前記弁開閉手段により遮断弁を開弁することでガスを充填する際に、ガス流路内の圧力を検出し、
前記判定手段は、前記圧力検出手段により検出されたガスの圧力特性と予め定められた圧力特性とを対比し両者が一致しない場合にガスの漏洩と判定し、
前記弁開閉手段は、前記判定に基づいて遮断弁を閉じることを特徴とするガスメータ。
【請求項３】
ガス流路に設置した遮断弁の開閉を制御する弁開閉手段と、遮断弁の下流に設けられたガス流路内の圧力を検出する圧力検出手段と、ガスの漏洩を判定する判定手段とを備え、前記圧力検出手段によりガス流路内の低下した圧力を検出した場合に、前記弁開閉手段により遮断弁を開弁することでガスの充填を行い、その後遮断弁を閉じて、前記判定手段により圧力の減少から微小なガスの漏洩を判定するガスメータにおいて、
前記ガス流路内の流量を検出するガス流量検出手段を備え、
前記ガス流量検出手段が、前記弁開閉手段により遮断弁を開弁することでガスを充填する際に、ガス流路内の流量を検出し、
前記圧力検出手段が、前記弁開閉手段により遮断弁を開弁することでガスを充填する際に、ガス流路内の圧力を検出し、
前記判定手段は、前記ガス流量検出手段により検出されたガスの流量特性と予め定められた流量特性とを対比し、かつ、前記圧力検出手段により検出されたガスの圧力特性と予め定められた圧力特性とを対比し、両対比のうち少なくとも一方が一致しない場合にガスの漏洩と判定し、
前記弁開閉手段は、前記判定に基づいて遮断弁を閉じることを特徴とするガスメータ。
【請求項４】
前記弁開閉手段は、遮断弁を開弁することでガスの充填を行うに当り、遮断弁の開弁量を制限して流入ガスの流量を調整することを特徴とする請求項１〜３のいずれか１項に記載のガスメータ。
【請求項５】
予め定められた前記ガスの流量特性は、前記弁開閉手段が遮断弁を開弁することでガスを充填する際に、ガスの漏洩がない場合における前記ガス流路内のガスの流量値及び流量の経時的変化であることを特徴とする請求項１〜３のいずれか１項に記載のガスメータ。
【請求項６】
予め定められた前記ガスの圧力特性は、ガスを充填する際に、ガスの漏洩がない場合における前記ガス流路内のガスの圧力値及び圧力の経時的変化であることを特徴とする請求項１〜３のいずれか１項に記載のガスメータ。
【請求項７】
ガス流路に設置した遮断弁の開閉を制御する弁開閉手段と、遮断弁の下流に設けられたガス流路内の圧力を検出する圧力検出手段と、ガスの漏洩を判定する判定手段とを備え、前記圧力検出手段によりガス流路内の低下した圧力を検出した場合に、前記弁開閉手段により遮断弁を開弁することでガスの充填を行い、その後遮断弁を閉じて、前記判定手段により圧力の減少から微小なガスの漏洩を判定するガスメータにおいて、
前記圧力検出手段により検出されたガス流路内を流れるガスの圧力データ及び当該圧力データの変化と、前記判定手段により判定されたガスの漏洩要因情報及び判定に要する判定時間のうち少なくとも一方を含むガスに関する情報を表示する表示部を備えていることを特徴とするガスメータ。
【請求項８】
前記表示部が、前記弁開閉手段により遮断弁を開弁することでガスを充填する際に、前記圧力検出手段により検出したガスの前記圧力データを表示することを特徴とする請求項７に記載のガスメータ。
【請求項９】
前記表示部が、前記弁開閉手段により遮断弁を開弁することでガスを充填する際に、前記圧力検出手段により検出したガスの前記圧力データの変化を文字又は図形情報として表示することを特徴とする請求項７又は８に記載のガスメータ。
【請求項１０】
前記ガス流路内の流量を検出するガス流量検出手段を備え、
前記判定手段は、前記ガス流量検出手段により検出されたガスの流量特性と予め定められた流量特性とを対比し、かつ、前記圧力検出手段により検出されたガスの圧力特性と予め定められた圧力特性とを対比し、両対比のうち少なくとも一方が一致しない場合にガスが漏洩していると判定し、
前記表示部は、前記判定手段によりガスが漏洩していると判定されると、一致しないと判断したガスの流量又は圧力特性をガスの前記漏洩要因情報として表示することを特徴とする請求項７〜９のいずれか１項に記載のガスメータ。
【請求項１１】
前記表示部が、前記判定手段によるガスの漏洩の判定に要する時間である前記判定時間の残量を表示することを特徴とする請求項７〜１０のいずれか１項に記載のガスメータ。
【請求項１２】
ガス流路に設置した遮断弁の開閉を制御する弁開閉ステップと、遮断弁の下流に設けられたガス流路内の圧力を検出する圧力検出ステップと、ガスの漏洩を判定する判定ステップとを備え、前記圧力検出ステップによりガス流路内の低下した圧力を検出した場合に、前記弁開閉ステップにより遮断弁を開弁することでガスの充填を行い、その後遮断弁を閉じて、前記判定ステップにより圧力の減少から微小なガスの漏洩を判定するガスメータの制御方法において、
前記ガス流路内の流量を検出するガス流量検出ステップを備え、
このガス流量検出ステップが、前記弁開閉ステップにより遮断弁を開弁することでガスを充填する際に、ガス流路内の流量を検出し、
前記判定ステップは、前記ガス流量検出ステップにより検出されたガスの流量特性と予め定められた流量特性とを対比し両者が一致しない場合にガスの漏洩と判定し、
前記弁開閉ステップは、前記判定に基づいて遮断弁を閉じることを特徴とするガスメータの制御方法。
【請求項１３】
ガス流路に設置した遮断弁の開閉を制御する弁開閉ステップと、遮断弁の下流に設けられたガス流路内の圧力を検出する圧力検出ステップと、ガスの漏洩を判定する判定ステップとを備え、前記圧力検出ステップによりガス流路内の低下した圧力を検出した場合に、前記弁開閉ステップにより遮断弁を開弁することでガスの充填を行い、その後遮断弁を閉じて、前記判定ステップにより圧力の減少から微小なガスの漏洩を判定するガスメータの制御方法において、
前記圧力検出ステップが、前記弁開閉ステップにより遮断弁を開弁することでガスを充填する際に、ガス流路内の圧力を検出し、
前記判定ステップは、前記圧力検出ステップにより検出されたガスの圧力特性と予め定められた圧力特性とを対比し両者が一致しない場合にガスの漏洩と判定し、
前記弁開閉ステップは、前記判定に基づいて遮断弁を閉じることを特徴とするガスメータの制御方法。
【請求項１４】
ガス流路に設置した遮断弁の開閉を制御する弁開閉ステップと、遮断弁の下流に設けられたガス流路内の圧力を検出する圧力検出ステップと、ガスの漏洩を判定する判定ステップとを備え、前記圧力検出ステップによりガス流路内の低下した圧力を検出した場合に、前記弁開閉ステップにより遮断弁を開弁することでガスの充填を行い、その後遮断弁を閉じて、前記判定ステップにより圧力の減少から微小なガスの漏洩を判定するガスメータの制御方法において、
前記ガス流路内の流量を検出するガス流量検出ステップを備え、
前記ガス流量検出ステップが、前記弁開閉ステップにより遮断弁を開弁することでガスを充填する際に、ガス流路内の流量を検出し、
前記圧力検出ステップが、前記弁開閉ステップにより遮断弁を開弁することでガスを充填する際に、ガス流路内の圧力を検出し、
前記判定ステップは、前記ガス流量検出ステップにより検出されたガスの流量特性と予め定められた流量特性とを対比し、かつ、前記圧力検出ステップにより検出されたガスの圧力特性と予め定められた圧力特性とを対比し、両対比のうち少なくとも一方が一致しない場合にガスの漏洩と判定し、
前記弁開閉ステップは、前記判定に基づいて遮断弁を閉じることを特徴とするガスメータの制御方法。
【手続補正２】
【補正対象書類名】明細書
【補正対象項目名】００１０
【補正方法】変更
【補正の内容】
【００１０】
上述した目的を達成するために、本発明は、ガス流路に設置した遮断弁の開閉を制御する弁開閉手段と、遮断弁の下流に設けられたガス流路内の圧力を検出する圧力検出手段と、ガスの漏洩を判定する判定手段とを備え、前記圧力検出手段によりガス流路内の低下した圧力を検出した場合に、前記弁開閉手段により遮断弁を開弁することでガスの充填を行い、その後遮断弁を閉じて、前記判定手段により圧力の減少から微小なガスの漏洩を判定するガスメータにおいて、前記ガス流路内の流量を検出するガス流量検出手段を備え、このガス流量検出手段が、前記弁開閉手段により遮断弁を開弁することでガスを充填する際に、ガス流路内の流量を検出し、前記判定手段は、前記ガス流量検出手段により検出されたガスの流量特性と予め定められた流量特性とを対比し両者が一致しない場合にガスの漏洩と判定し、前記弁開閉手段は、前記判定に基づいて遮断弁を閉じることを特徴とする。
【手続補正３】
【補正対象書類名】明細書
【補正対象項目名】００３５
【補正方法】変更
【補正の内容】
【００３５】
復旧後、まず、現在のガス流路１１内のガスの圧力を確認するため、ガス流路１１の下流部においてガス圧力検出手段１５ｂにより圧力計測器１３を通じてガス圧力を計測する（ＳＴＥＰ３０１）。所定のガス圧力が検出された場合には（ＮＯ）、検出したガス流路１１内のガス圧力が判定手段１５ｄにより減少しているか否かが判断される。
【手続補正４】
【補正対象書類名】明細書
【補正対象項目名】００３６
【補正方法】変更
【補正の内容】
【００３６】
一方、ガス圧力検出手段１５ｂにより検出されたガスの圧力が低いものであった場合には（ＹＥＳ）、判定手段１５ｄが弁開閉手段１５ｃを通じて、遮断弁１４を開弁させる（ＳＴＥＰ３０２）。これにより、ガス流路１１内に再びガスが充填されることになる。
【手続補正５】
【補正対象書類名】明細書
【補正対象項目名】００４１
【補正方法】変更
【補正の内容】
【００４１】
そして、この約５秒間の判定時間が経過した場合には（ＹＥＳ）、弁開閉手段１５ｃにより遮断弁１４を通じてガス流路１１を遮断する（ＳＴＥＰ３０７）。その後、ガス流路１１内のガスの圧力をガス圧力検出手段１５ｂにより検出し、判定手段１５ｄが配管内のガス圧力が減少しているか否かを判断する（ＳＴＥＰ３０８）。ガス圧力が減少していると判断された場合には（ＹＥＳ）、ガスが漏洩しているので、ガス流路１１である配管の復旧作業が失敗に終わったこととなる（ＳＴＥＰ３０９）。
【手続補正６】
【補正対象書類名】明細書
【補正対象項目名】００４２
【補正方法】変更
【補正の内容】
【００４２】
一方で、判定手段１５ｄにより、ガスの圧力が減少していないと判断された場合には（ＮＯ）、約２分間のガス圧力の漏洩確認判定作業を繰り返す（ＳＴＥＰ３１０）。そして、約２分間のガス圧力の漏洩確認判定作業が終了した場合には（ＹＥＳ）、ガスの漏洩が無いと判定手段１５ｄにより判定され、弁開閉手段１５ｃが遮断弁１４を開弁し、ガス流路１１の復帰確認フローは終了する（ＳＴＥＰ３１１）。
【手続補正７】
【補正対象書類名】明細書
【補正対象項目名】００４４
【補正方法】変更
【補正の内容】
【００４４】
復旧後、まず、第１の実施例と同様に、現在のガス流路１１内のガス圧力を確認するため、ガス流路１１の下流部においてガス圧力検出手段１５ｂにより圧力計測器１３を通じてガス圧力を計測する（ＳＴＥＰ４０１）。所定のガス圧力が検出された場合には（ＮＯ）、検出したガス流路１１内のガス圧力が判定手段１５ｄにより減少しているか否かが判断される。
【手続補正８】
【補正対象書類名】明細書
【補正対象項目名】００４５
【補正方法】変更
【補正の内容】
【００４５】
一方、ガス圧力検出手段１５ｂにより検出されたガスの圧力が低いものであった場合には（ＹＥＳ）、判定手段１５ｄが弁開閉手段１５ｃを通じて、遮断弁１４を開弁させる（ＳＴＥＰ４０２）。これにより、ガス流路１１内に再びガスが充填されることになる。
【手続補正９】
【補正対象書類名】明細書
【補正対象項目名】００５０
【補正方法】変更
【補正の内容】
【００５０】
そして、この約５秒間の判定時間が経過すると（ＹＥＳ）、弁開閉手段１５ｃにより遮断弁１４を通じてガス流路１１を遮断する（ＳＴＥＰ４０７）。その後、ガス流路１１内のガスの圧力をガス圧力検出手段１５ｂにより検出し、判定手段１５ｄが配管内のガス圧力が減少しているか否かを判断する（ＳＴＥＰ４０８）。ガス圧力が減少していると判断された場合には（ＹＥＳ）、ガスが漏洩しているので、ガス流路１１である配管の復旧作業が失敗に終わったこととなる（ＳＴＥＰ４０９）。
【手続補正１０】
【補正対象書類名】明細書
【補正対象項目名】００５１
【補正方法】変更
【補正の内容】
【００５１】
一方で、判定手段１５ｄにより、ガスの圧力が減少していないと判断された場合には（ＮＯ）、約２分間のガス圧力の漏洩確認判定作業を繰り返す（ＳＴＥＰ４１０）。そして、約２分間のガス圧力の漏洩確認判定作業が終了した場合には（ＹＥＳ）、ガスの漏洩が無いと判定手段１５ｄにより判定され、弁開閉手段１５ｃが遮断弁１４を開弁して、ガス流路１１の復帰確認フローは終了する（ＳＴＥＰ４１１）。
【手続補正１１】
【補正対象書類名】明細書
【補正対象項目名】００５４
【補正方法】変更
【補正の内容】
【００５４】
復旧後、まず、現在のガス流路１１内のガスの圧力を確認するため、ガス流路１１の下流部においてガス圧力検出手段１５ｂにより圧力計測器１３を通じてガスの圧力を計測する（ＳＴＥＰ５０１）。所定のガス圧力が検出された場合には（ＮＯ）、検出したガス流路１１内のガスの圧力が判定手段１５ｄにより減少しているか否かが判断される。
【手続補正１２】
【補正対象書類名】明細書
【補正対象項目名】００５５
【補正方法】変更
【補正の内容】
【００５５】
一方、ガス圧力検出手段１５ｂにより検出されたガスの圧力が低いものであった場合には（ＹＥＳ）、本実施例の特徴として、判定手段１５ｄが、弁開閉手段１５ｃを通じて、遮断弁１４を半開させる（ＳＴＥＰ５０２）。そのため、遮断弁１４の弁体とケースの間に生じる圧力損失により、下流に流入するガスの流量が抑制され、ガス流路１１内にガスを再充填する時間が長くなる。なお、遮断弁１４に開弁量は半開に限定されず、流入するガスの流量を調整するため、弁開閉手段１５ｃにより調節可能である。
【手続補正１３】
【補正対象書類名】明細書
【補正対象項目名】００６０
【補正方法】変更
【補正の内容】
【００６０】
そして、この約５秒間の判定時間が経過した場合には（ＹＥＳ）、弁開閉手段１５ｃにより遮断弁１４を通じてガス流路１１を遮断する（ＳＴＥＰ５０７）。その後、ガス流路１１内のガスの圧力をガス圧力検出手段１５ｂにより検出し、判定手段１５ｄが配管内のガスの圧力が減少しているか否かを判断する（ＳＴＥＰ５０８）。ガスの圧力が減少していると判断された場合には（ＹＥＳ）、ガスが漏洩しているので、ガス流路１１である配管の復旧作業が失敗に終わったこととなる（ＳＴＥＰ５０９）。
【手続補正１４】
【補正対象書類名】明細書
【補正対象項目名】００６１
【補正方法】変更
【補正の内容】
【００６１】
一方で、判定手段１５ｄにより、ガスの圧力が減少していないと判断された場合には（ＮＯ）、約２分間のガス圧力の漏洩確認判定作業を繰り返す（ＳＴＥＰ５１０）。そして、約２分間のガス圧力の漏洩確認判定作業が終了した場合には（ＹＥＳ）、ガスの漏洩が無いと判定手段１５ｄにより判定され、弁開閉手段１５ｃが遮断弁１４を全開にし、ガス流路１１の復帰確認フローは終了する（ＳＴＥＰ５１１）。
【手続補正１５】
【補正対象書類名】明細書
【補正対象項目名】００６６
【補正方法】変更
【補正の内容】
【００６６】
復旧後、まず、上記実施例と同様に、現在のガス流路１１内のガス圧力を確認するため、ガス流路１１の下流部においてガス圧力検出手段１５ｂにより圧力計測器１３を通じてガス圧力を計測する（ＳＴＥＰ６０１）。所定のガス圧力が検出された場合には（ＮＯ）、検出したガス流路１１内のガス圧力が判定手段１５ｄにより減少しているか否かが判断される。
【手続補正１６】
【補正対象書類名】明細書
【補正対象項目名】００６７
【補正方法】変更
【補正の内容】
【００６７】
一方、ガス圧力検出手段１５ｂにより検出されたガスの圧力が低いものであった場合には（ＹＥＳ）、本実施例の特徴として、判定手段１５ｄが、弁開閉手段１５ｃを通じて、遮断弁１４を半開させる（ＳＴＥＰ６０２）。これにより、遮断弁１４の弁体とケースの間に生じる圧力損失により、下流に流入するガスの流量が抑制され、ガス流路１１内いガスを再充填する時間が長くなる。なお、遮断弁１４に開弁量は半開に限定されず、流入するガスの流量を調整するため、弁開閉手段１５ｃにより調節可能である。
【手続補正１７】
【補正対象書類名】明細書
【補正対象項目名】００７２
【補正方法】変更
【補正の内容】
【００７２】
そして、この約５秒間の判定時間が経過すると（ＹＥＳ）、弁開閉手段１５ｃにより遮断弁１４を通じてガス流路１１を遮断する（ＳＴＥＰ６０７）。その後、ガス流路１１内のガスの圧力をガス圧力検出手段１５ｂにより検出し、判定手段１５ｄが配管内のガス圧力が減少しているか否かを判断する（ＳＴＥＰ６０８）。ガス圧力が減少していると判断された場合には（ＹＥＳ）、ガスが漏洩しているので、ガス流路１１である配管の復旧作業が失敗に終わったこととなる（ＳＴＥＰ６０９）。
【手続補正１８】
【補正対象書類名】明細書
【補正対象項目名】００７３
【補正方法】変更
【補正の内容】
【００７３】
一方で、判定手段１５ｄにより、ガスの圧力が減少していないと判断された場合には（ＮＯ）、約２分間のガス圧力の漏洩確認判定作業を繰り返す（ＳＴＥＰ６１０）。そして、約２分間のガス圧力の漏洩確認判定作業が終了した場合には（ＹＥＳ）、ガスの漏洩が無いと判定手段１５ｄにより判定され、弁開閉手段１５ｃが遮断弁１４を開弁して、ガス流路１１の復帰確認フローは終了する（ＳＴＥＰ６１１）。
【手続補正１９】
【補正対象書類名】明細書
【補正対象項目名】００８４
【補正方法】変更
【補正の内容】
【００８４】
上記の実施例と同様に、復旧後、まず、現在のガス流路１１内のガスの圧力を確認するため、ガス流路１１の下流部においてガス圧力検出手段１５ｂにより圧力計測器１３を通じてガスの圧力を計測する（ＳＴＥＰ８０１）。所定のガス圧力が検出された場合には（ＮＯ）、検出したガス流路１１内のガスの圧力が判定手段１５ｄにより減少しているか否かが判断される。
【手続補正２０】
【補正対象書類名】明細書
【補正対象項目名】００８５
【補正方法】変更
【補正の内容】
【００８５】
一方、ガス圧力検出手段１５ｂにより検出されたガスの圧力が低いものであった場合には（ＹＥＳ）、判定手段１５ｄが弁開閉手段１５ｃを通じて、遮断弁１４を開弁させる（ＳＴＥＰ８０２）。これにより、ガス流路１１内に再びガスが充填されることになる。
【手続補正２１】
【補正対象書類名】明細書
【補正対象項目名】００８９
【補正方法】変更
【補正の内容】
【００８９】
そして、この約５秒間の判定時間が経過した場合には（ＹＥＳ）、弁開閉手段１５ｃにより遮断弁１４を通じてガス流路１１を遮断する（ＳＴＥＰ８０８）。その後、ガス流路１１内のガス圧力をガス圧力検出手段１５ｂにより検出し、判定手段１５ｄが配管内のガスの圧力が減少しているか否かを判断する（ＳＴＥＰ８０９）。圧力が減少していると判断された場合には（ＹＥＳ）、ガスが漏洩しているので、ガス流路１１である配管の復旧作業が失敗に終わったこととなる（ＳＴＥＰ８１０）。
【手続補正２２】
【補正対象書類名】明細書
【補正対象項目名】００９０
【補正方法】変更
【補正の内容】
【００９０】
一方で、判定手段１５ｄにより、ガスの圧力が減少していないと判断された場合には（ＮＯ）、約２分間のガス圧力の漏洩確認判定作業を繰り返す（ＳＴＥＰ８１１）。そして、約２分間のガス圧力の漏洩確認判定作業が終了した場合には（ＹＥＳ）、ガスの漏洩が無いと判定手段１５ｄにより判定され、弁開閉手段１５ｃが遮断弁１４を開弁して、ガス流路１１の復帰確認フローは終了する（ＳＴＥＰ８１２）。
【手続補正２３】
【補正対象書類名】図面
【補正対象項目名】図３
【補正方法】変更
【補正の内容】
【図３】
2008111672.tif 000019
【手続補正２４】
【補正対象書類名】図面
【補正対象項目名】図４
【補正方法】変更
【補正の内容】
【図４】
2008111672.tif 000020
【手続補正２５】
【補正対象書類名】図面
【補正対象項目名】図５
【補正方法】変更
【補正の内容】
【図５】
2008111672.tif 000021
【手続補正２６】
【補正対象書類名】図面
【補正対象項目名】図６
【補正方法】変更
【補正の内容】
【図６】
2008111672.tif 000022
【手続補正２７】
【補正対象書類名】図面
【補正対象項目名】図８
【補正方法】変更
【補正の内容】
【図８】
2008111672.tif 000023